(57)【要約】【課題】冷媒水熱交換器とシスターンタンクとをコンパクトにまとめて断熱したヒートポンプ式温水暖房装置を提供する。【解決手段】圧縮機８と冷媒水熱交換器９と膨張弁１０と蒸発器１１等を冷媒配管で接続してヒートポンプサイクルを形成し、前記冷媒水熱交換器９で加熱された温水の膨張吸収と液の補給を行うシスターンタンク１７と、この温水を離れた所に設置した放熱器６に供給する循環ポンプ１８とを備えたもで、前記シスターンタンク１７を冷媒水熱交換器９で巻回して一体とし、これを２分割された発泡断熱材３５、３６で覆ったものである。【選択図】図４
2013217522.tif 000002
【特許請求の範囲】
【請求項１】
圧縮機と冷媒水熱交換器と膨張弁と蒸発器等を冷媒配管で接続してヒートポンプサイクルを形成し、前記冷媒水熱交換器で加熱された温水の膨張吸収と液の補給を行うシスターンタンクと、この温水を離れた所に設置した放熱器に供給する循環ポンプとを備えたものに於いて、前記シスターンタンクを冷媒水熱交換器で巻回して一体とし、これを２分割された発泡断熱材で覆った事を特徴とするヒートポンプ式温水暖房装置。
【請求項２】
前記シスターンタンクを円筒状に形成すると共に、この円筒状の外周を冷媒水熱交換器が巻回して一体と成り、その外周を左右分割の発泡断熱材で覆った事を特徴とする請求項１記載のヒートポンプ式温水暖房装置。
【発明の詳細な説明】
【技術分野】
【０００１】
この発明は、温水を複数系列の床暖房パネルに循環させて床暖房を行うヒートポンプ式温水暖房装置に関するものである。
【背景技術】
【０００２】
従来よりこの種のものに於いては、ヒートポンプサイクルの冷媒水熱交換器を長円状に巻回し、これを下部断熱材と上部断熱材の外周に形成した収納溝に収納し、そして上部断熱材には四角柱のシスターンタンクの下半分のみが保持されて取り付けられているものであった。（例えば、特許文献１参照）
【先行技術文献】
【特許文献】
【０００３】
【特許文献１】特開２０１０−１４４９８６号公報
【発明の概要】
【発明が解決しようとする課題】
【０００４】
ところでこの従来のものでは、冷媒水熱交換器の断熱材の表面積が大きく、場所を取り大型化するものであり、又シスターンタンクの断熱が不十分で上半分から簡単に放熱してしまい効率の良い暖房が行われないものであった。
【課題を解決するための手段】
【０００５】
この発明はこの点に着目し上記欠点を解決する為、特にその構成を、請求項１では、圧縮機と冷媒水熱交換器と膨張弁と蒸発器等を冷媒配管で接続してヒートポンプサイクルを形成し、前記冷媒水熱交換器で加熱された温水の膨張吸収と液の補給を行うシスターンタンクと、この温水を離れた所に設置した放熱器に供給する循環ポンプとを備えたものに於いて、前記シスターンタンクを冷媒水熱交換器で巻回して一体とし、これを２分割された発泡断熱材で覆ったものである。
【０００６】
又請求項２では、前記シスターンタンクを円筒状に形成すると共に、この円筒状の外周を冷媒水熱交換器が巻回して一体と成り、その外周を左右分割の発泡断熱材で覆ったものである。
【発明の効果】
【０００７】
この発明によれば、シスターンタンクの外周に冷媒水熱交換器を巻回することで一体とし、この一体としたものを２分割した発泡断熱材で覆ったことにより、確実に放熱ロスが抑えられることで断熱効果が上がり、効率の良い暖房を常に行えるものである。
【０００８】
又請求項２によれば、シスターンタンクを冷媒水熱交換器が巻回され易いように円筒状とし、更に発泡断熱材を左右に２分割したことで、確実で容易に作製出来、しかも断熱材は少なく安価でありながら確実に断熱出来るものである。
【図面の簡単な説明】
【０００９】
【図１】この発明一実施例の斜視図。
【図２】同概略の説明図。
【図３】同要部斜視図。
【図４】同要部の一方の発泡断熱材を外した状態の斜視図。
【発明を実施するための形態】
【００１０】
次にこの発明に係るヒートポンプ式温水暖房装置を図面に示された一実施例で説明する。
１はヒートポンプ式温水暖房装置の熱源機で、水平仕切板２にて上下２室に分けられ、下部には冷凍回路室３を、上部には温水回路室４を備え、温水連絡配管５によって、室内に設置された床暖房用の温水パネル等からなる放熱器６と接続されている。
前記冷凍回路室３の背面と左側面には空気吸込口（図示せず）が、前面には吹出口７を備え、内部には圧縮機８、太い温水パイプと細い冷媒パイプをペアーとした冷媒水熱交換器９、膨張弁１０、蒸発器１１、送風ファン１２からなるヒートポンプサイクルと冷凍回路制御部１３等を設けている。
【００１１】
前記温水回路室４は上面に給水用蓋１４が、背面に配管取出口１５を備え、内部には冷媒接続バルブ１６、冷媒水熱交換器９、加熱された温水の膨張吸収と液の補給を行うシスターンタンク１７、循環ポンプ１８、往き温水ヘッダ１９と温水回路制御部２０等を設け、前記冷媒水熱交換器９、シスターンタンク１７、循環ポンプ１８、往き温水ヘッダ１９を往き管２１にて順次接続している。
【００１２】
２２は前記放熱器６で放熱した後、温度低下した温水が流れる戻り温水ヘッダで、戻り管２３にて前記冷媒水熱交換器９に接続している。
前記往き温水ヘッダ１９は、温水を４方向まで分岐できるものであり、分岐後の出口にはそれぞれ熱動弁等の温水制御弁２４が取り付けられ、前記温水回路制御部２０内に備えた温水制御弁制御手段２０ａによって、熱動弁の閉弁の時間を調節することで各部屋に設置された放熱器６の温度を調節する。
【００１３】
前記戻り温水ヘッダ２２は、各部屋の放熱器６から戻る温水の温度をサーミスタセンサ等によって検知する戻りセンサ２５を設けている。
２６は前記往き温水ヘッダ１９と温水連絡配管５と放熱器６と戻り温水ヘッダ２２を連通し、温水を循環することで床暖房を行う温水回路で、温水ヘッダ１９・２２の接続口の数によって最大４つの温水回路２６を設定することができる。
【００１４】
前記温水制御弁２４は同じ温水回路２６の戻りセンサ２５の温度が設定温度に達するまでは開弁し、設定温度到達後の閉弁時間を調整することで暖房温度を調節するもので、それぞれの温水回路２６に対応するリモコン２７の設定に従って各部屋の暖房を行うものである。
【００１５】
前記圧縮機８は冷凍回路制御部１３に備えたインバータ駆動回路（図示せず）にて約１５〜１０５Ｈｚの間で多段階に回転数を変化することで往き温水の温度を調整する。前記蒸発器１１は縦長で多数のアルミニューム薄板に銅管を貫通させたフィンチューブ式の熱交換器で風上側と風下側に密接して、それぞれ１列ずつ設けられている。銅管は上下に２４段設けられ、内部に前記膨張弁１０で減圧された液冷媒が流入し、空気中の熱を奪い蒸発器１１の出口では気体となり圧縮機８に戻っていく。
【００１６】
２８は前記冷媒水熱交換器９と膨張弁１０との間に設けられた熱放出器で、前記蒸発器１１の風下側で下端より上下に２本の銅管にて構成し、前記冷媒水熱交換器９と膨張弁１０を接続するものであり、蒸発器１１の風下側のアルミニューム薄板を共用して、蒸発器１１と一体に形成されることで、内部熱交換器を使用せずに吐出圧力の上昇を抑えことができるので、製造コストを低く抑えることになる。また、除霜運転での溶け残りを防止することができ、除霜の効率を向上させることができる。また、吐出圧力の上昇を抑えるので圧縮機９の消費電力増加を抑えることができ、高ＣＯＰを実現できる。
【００１７】
前記膨張弁１０は電子式の膨張弁で圧縮機８の回転数や冷凍回路の各部温度等によって冷凍回路制御部１３にて開度が制御されるものである。
前記送風ファン１２は樹脂製のプロペラファンで、回転数可変の送風モータ２９によって回転し、前記空気吸込口、蒸発器１１、送風ファン１２、吹出口７で室外送風経路を形成し、蒸発器１１にて外気から熱を奪うものである。
【００１８】
３０は前記空気吸込口の内側に設けられた外気温センサで、サーミスタセンサー等により吸込空気の温度を検知するものである。３１は前記蒸発器１１に取り付けられた除霜センサで、蒸発器１１に発生した霜を検知するものである。３２は前記圧縮機８の吐出側冷媒配管の表面に取り付けられた吐出温センサで、圧縮機８の能力制御のために吐出冷媒の温度を検知するものである。３３は前記冷媒水熱交換器９に設けた熱交センサで、冷媒水熱交換器９の温度によって冷凍回路と温水回路の温度を調節するものである。３４は前記往き管２１の温度を検知する往きセンサで、この温度によって各放熱器６の最高温度が決まるものである。
【００１９】
又前記したシスターンタンク１７と冷媒水熱交換器９とは、予め円筒状に形成されたシスターンタンク１７の外周にこの冷媒水熱交換器９を巻回してコンパクトに集約したものを、左右に２分割した発泡断熱材からなる左発泡断熱材３５と右発泡断熱材３６とで挟み込んで覆うようにしたことで、冷媒水熱交換器９からの放熱は勿論、シスターンタンク１７からの放熱を確実に防止して、暖房の効率を向上させるようにしたものであり、しかもシスターンタンク１７を冷媒水熱交換器９で巻回したことで、冷媒水熱交換器９によってシスターンタンク１７内の温水を良好に加熱されると言う二次的な効果もあって、なおさら暖房の効率を向上させることが出来るものである。
【００２０】
次にこの一実施形態の作動について説明すれば、先ずヒートポンプサイクルでは、圧縮機８で圧縮された冷媒が冷媒水熱交換器９で凝縮され熱を放出し、熱放出器２８でも残った熱を蒸発器１１に放出して、膨張弁１０で冷媒の圧力が下げられ蒸発器１１で蒸発して熱を吸収し、再び圧縮機８に流れるサイクルを繰り返すものである。
【００２１】
この時温水側では、冷媒水熱交換器９で冷媒と熱交換して高温に加熱された不凍液からなる温水が、循環ポンプ１８の駆動で循環してシスターンタンク１７内に流入し、ここで高温の温水は膨張分を吸収されて往き管２１から往き温水ヘッダ１９を介して、室内の床面に載置された床暖パネルの放熱器６まで循環させ、そして放熱器６からの放熱で良好な床暖房が行われ、温度低下した温水は戻り温水ヘッダ２２を介して再び冷媒水熱交換器９に戻り加熱されると言う循環を繰り返して、床暖房を良好に行われるものである。
【００２２】
又この時、冷媒水熱交換器９はシスターンタンク１７の外周を巻回しているので、シスターンタンク１７内の温水も冷媒水熱交換器９内の温水と共に加熱されることとなり、加熱場所が多くなり効率良く加熱されることで良好な暖房が行えるものであり、更にこの冷媒水熱交換器９が巻回したシスターンタンク１７ごと、左発泡断熱材３５と右発泡断熱材３６とに挟み込まれて覆われているので、コンパクトで安価でありながら放熱を確実に防止して良好な断熱を行うことが出来、長期に渡って効率の良い床暖房を行えるものである。
【符号の説明】
【００２３】
６  放熱器
８  圧縮機
９  冷媒水熱交換器
１０  膨張弁
１１  蒸発器
１７  シスターンタンク
１８  循環ポンプ
３５  左発泡断熱材
３６  右発泡断熱材
【図１】
2013217522.tif 000003
【図２】
2013217522.tif 000004
【図３】
2013217522.tif 000005
【図４】
2013217522.tif 000006